(57)【要約】【課題】ホールの営業形態に、容易に適合することのできる遊技機を実現する。【解決手段】遊技釘が表面に設けられた遊技面構成部品Ｂ１１、Ｂ２１と、これら遊技面構成部品Ｂ１１、Ｂ２１が嵌合自在で、かつ、嵌合状態において上記表面と盤面とが同一面となる孔部Ｈ１、Ｈ２を有する遊技盤と、を用意する。こうすることにより、遊技面構成部品Ｂ１１、Ｂ２１を他の部品に交換することができるので、ホールの営業形態に、容易に適合させることができ、かつ、リサイクルが容易になる。【選択図】　　　　図１
2004049642.tif 000002
【特許請求の範囲】
【請求項１】
遊技面の一部分を構成する部品が表面に設けられた遊技面構成部品と、前記遊技面構成部品が嵌合自在で、かつ、嵌合状態において前記表面と盤面とを一体として遊技面を構成するための孔を有する遊技盤と、を含むことを特徴とする遊技機。
【請求項２】
前記遊技面構成部品を複数含み、それら複数の遊技面構成部品は部品の形状が互いに異なり、前記孔にはそれら複数の遊技面構成部品が択一的に嵌合されることを特徴とする請求項１記載の遊技機。
【請求項３】
前記遊技面構成部品は、遊技球の入賞口を含むことを特徴とする請求項１又は２記載の遊技機。
【請求項４】
遊技面の一部分を構成する部品が表面に設けられた遊技面構成部品であって、遊技機の遊技盤面に設けられた孔に嵌合自在で、かつ、嵌合状態において前記表面と前記遊技盤面とを一体として遊技面を構成することを特徴とする遊技面構成部品。
【請求項５】
遊技球の入賞口を含むことを特徴とする請求項４記載の遊技面構成部品。
【請求項６】
請求項４又は５に記載の遊技面構成部品を嵌合自在で、かつ、嵌合状態において該遊技面構成部品の表面と遊技盤面とが同一面となる孔を有することを特徴とする遊技盤。
【発明の詳細な説明】
【０００１】
【発明の属する技術分野】
本発明は遊技機、並びに、これに用いる遊技面構成部品、及び、遊技盤に関し、特に弾球遊技機の遊技盤面に設けられる部品の構造に関する。
【０００２】
【従来の技術】
一般に、弾球遊技機に用いられる遊技盤には、様々な遊技面構成部品が設けられている。例えば、遊技球の入賞型チャッカや通過型チャッカなどの入賞口が設けられている。
遊技面構成部品を遊技盤表面に適切に配置することにより、興趣に優れた遊技内容を実現することができる。また、遊技面構成部品の配置いかんでその機種の売上げ台数が左右される可能性も考えられる。例えば、遊技面構成部品の形状や色彩がホール（遊技店）内の雰囲気（店内照明の明暗、壁紙の色など）にそぐわない場合には、その機種の売上げ台数が増加しないことが考えられる。
【０００３】
逆に、ホール内の雰囲気にマッチする遊技面構成部品を遊技盤表面に配置した遊技機であれば、その機種の売上げ台数増加が期待できる。
しかしながら、ホール毎にオーダーメードの遊技機を作成するのはコスト高となるので現実的ではない。このため、コストがあまり高くならずに、ホール毎のオーダーメードの遊技機を実現することが望まれている。
【０００４】
【発明が解決しようとする課題】
ところで、特開２０００−４２１８１号公報には、遊技球による衝撃を受けて傷の付きやすい部材を交換可能に構成する技術が記載されている。したがって、同公報に記載されている技術を採用すれば、破損した部品のみを交換でき、遊技機の機能を引き続き維持することができる。しかしながら、同公報に記載されている技術を採用する場合、破損した部品を取り外し、破損していない同じ部品を交換するにすぎず、上記問題点を解決することはできない。
【０００５】
本発明は上述した従来技術の問題点を解決するためになされたものであり、その目的はホールの雰囲気に容易にマッチさせることのできる遊技機、並びに、これに用いる遊技面構成部品、及び、遊技盤を提供することである。
【０００６】
【課題を解決するための手段】
本発明の請求項１による遊技機は、遊技面の一部分を構成する部品が表面に設けられた遊技面構成部品と、前記遊技面構成部品が嵌合自在で、かつ、嵌合状態において前記表面と盤面とを一体として遊技面を構成するための孔を有する遊技盤と、を含むことを特徴とする。こうすることにより、遊技面構成部品を交換することができるので、ホールの営業形態にマッチした遊技機を容易に実現でき、かつ、リサイクルが容易になる。
【０００７】
本発明の請求項２による遊技機は、請求項１において、前記遊技面構成部品を複数含み、それら複数の遊技面構成部品は部品の形状が互いに異なり、前記孔にはそれら複数の遊技面構成部品が択一的に嵌合されることを特徴とする。こうすることにより、ホール（遊技店）の営業形態の他、通常営業用、開店営業用、イベント用等、に合わせて遊技面構成部品を交換できる。
【０００８】
本発明の請求項３による遊技機は、請求項１又は２において、前記遊技面構成部品は、遊技球の入賞口を含むことを特徴とする。こうすることにより、ホール（遊技店）の営業形態の他、通常営業用、開店営業用、イベント用等、に合わせて、入賞口のデザインを容易に変更することができる。
本発明の請求項４による遊技面構成部品は、遊技面の一部分を構成する部品が表面に設けられた遊技面構成部品であって、遊技機の遊技盤面に設けられた孔に嵌合自在で、かつ、嵌合状態において前記表面と前記遊技盤面とを一体として遊技面を構成することを特徴とする。この部品を用意しておくことにより、ホール（遊技店）の営業形態の他、通常営業用、開店営業用、イベント用等、にマッチした遊技盤面を有する遊技機を容易に実現することができると共に、部品のリサイクルを容易に実現できる。
【０００９】
本発明の請求項５による遊技面構成部品は、請求項４において、遊技球の入賞口を含むことを特徴とする。こうすることにより、入賞口を、ホールの営業形態に応じて容易に変更することができ、かつ、部品を容易にリサイクルできる。
本発明の請求項６による遊技盤は、請求項４又は５に記載の遊技面構成部品を嵌合自在で、かつ、嵌合状態において該遊技面構成部品の表面と遊技盤面とが同一面となる孔を有することを特徴とする。このような遊技盤を用意することにより、ホールの営業形態にマッチした遊技機を容易に実現することができる。
【００１０】
本発明においては、同一機種でありながら、ホール側の要請で、入賞口の形状等を変更できるようにする。このためには、遊技盤に対して嵌合自在に、異なる型式の入賞口を用意しておく。例えば、通過型、入賞型、が考えられる。入賞口に限らず、遊技領域内の部品を、遊技盤に対して嵌合自在に構成しておく。ホール側の注文に応じた型式の部品をはめ込む。これにより、遊技機メーカは、オーダーメードのような遊技機をホールに提供することができる。
【００１１】
【発明の実施の形態】
次に、図面を参照して本発明の実施の形態について説明する。なお、以下の説明において参照する各図においては、他の図と同等部分に同一符号が付されている。
図１は本発明による遊技機の実施の一形態の概略構成図である。同図（ａ）は遊技面構成部品の構成例を示す概略図、同図（ｂ）は遊技盤の構成例を示す概略図、同図（ｃ）は遊技面構成部品の他の構成例を示す概略図である。同図（ｂ）に示されているように、本実施形態による遊技機の遊技盤１は、その盤面に、孔部Ｈ１、孔部Ｈ２が開口している。ここで、遊技盤１に設けられている孔部Ｈ１は、同図（ａ）に示されている遊技面構成部品Ｂ１１が嵌合できる大きさ及び形状である。同様に、遊技盤１に設けられている孔部Ｈ２は、同図（ｃ）に示されている遊技面構成部品Ｂ２１が嵌合できる大きさ及び形状である。つまり、遊技面構成部品Ｂ１１を孔部Ｈ１に、遊技面構成部品Ｂ２１を孔部Ｈ２に、それぞれ嵌合することにより、遊技盤が完成する。
【００１２】
完成した遊技盤が図２に示されている。同図に示されている嵌合状態においては、遊技面構成部品の表面と遊技盤の盤面とが同一面になる。すなわち、遊技面構成部品の表面と遊技盤の盤面とが一体となって遊技面を構成することになる。図３（ａ）及び（ｂ）は、孔部Ｈ１に嵌合すべき遊技面構成部品の概略図である。同図（ａ）及び（ｂ）に示されている遊技面構成部品は、共に、入賞口と、釘Ｎとを含んで構成されている。同図（ａ）の遊技面構成部品Ｂ１１は通過型のチャッカ３１、同図（ｂ）の遊技面構成部品Ｂ１２は入賞型のチャッカ３２である。これら２種類の遊技面構成部品Ｂ１１及びＢ１２を、択一的に、孔部Ｈ１に嵌合することにより、ホールの営業形態に合致した遊技機を実現できる。
【００１３】
すなわち、遊技盤１において、孔部Ｈ１にはチャッカ、その下方にはワープゾーンの入口や役物と呼ばれる構造物等が設けられることが多い（図示せず）。したがって、それら構造物の種類に応じて、同図（ａ）の遊技面構成部品Ｂ１１、同図（ｂ）の遊技面構成部品Ｂ１２を択一的に孔部Ｈ１に嵌合することによって、種々の遊技機を実現することができる。
【００１４】
同様に、同図（ｃ）〜同図（ｅ）は、孔部Ｈ２に嵌合すべき遊技面構成部品の概略図である。同図（ｃ）の遊技面構成部品Ｂ２１には入賞型のチャッカ３３と、釘Ｎとが設けられている。同図（ｄ）の遊技面構成部品Ｂ２２には通過型のチャッカ３４と、釘Ｎとが設けられている。同図（ｅ）の遊技面構成部品Ｂ２３には可動片付き入賞型のチャッカ３５と、釘Ｎとが設けられている。同図（ｃ）の遊技面構成部品Ｂ２１、同図（ｄ）の遊技面構成部品Ｂ２２、同図（ｅ）の遊技面構成部品Ｂ２３、を択一的に、孔部Ｈ２に嵌合することにより、ホールの営業形態に合致した遊技機を実現できる。
【００１５】
すなわち、遊技盤１において、孔部Ｈ２には抽選を行わせるためのスタートチャッカ（始動入賞口）が設けられることが多い。そして、通過型のスタートチャッカ、入賞型のスタートチャッカ等、同図（ｃ）〜同図（ｅ）に示されているように複数種類の遊技面構成部品Ｂ２１〜Ｂ２３を用意する。これら複数種類の遊技面構成部品Ｂ２１〜Ｂ２３を択一的に孔部Ｈ２に嵌合することによって、ホールの営業形態に対応した遊技機を実現することができる。例えば、遊技面構成部品Ｂ２１は通常営業用、遊技面構成部品Ｂ２２は開店営業用、遊技面構成部品Ｂ２３はイベント用、などと用途を限定することができる。この他、無制限、ラッキーナンバー、新台入替時、交換率変更時等、ホールの営業形態に応じて、適切な遊技面構成部品を採用することで１台の遊技機で多様な営業形態を実現することができる。
【００１６】
以上のように、複数種類の遊技面構成部品を用意しておき、ホールの営業形態に合わせて遊技面構成部品を交換することでオーダーメードの遊技機を実質的に実現することができるので、ホール及び遊技機メーカ双方の利便性を向上できる。また、遊技面構成部品及び孔の形状や大きさを規格統一しておけば、後続機種への汎用性を実現できると共に、リサイクルの面での効果も期待できる。すなわち、実機に用いた遊技面構成部品を取り外し、この取り外した遊技面構成部品を他の遊技盤に嵌合することで、遊技面構成部品のリサイクルを実現できる。透明な合成樹脂を用いて遊技領域を作成する場合でも、上記と同様に遊技盤及び遊技面構成部品を作成すれば、実質的にオーダーメードの遊技機を実現できる。このように、透明な合成樹脂で遊技盤及び遊技面構成部品を作成すれば、遊技領域の背面側からプロジェクタによって画像を投影することができるので、その投影画像によって多彩な遊技演出を行うことができる。
【００１７】
【発明の効果】
以上説明したように本発明は、遊技釘が表面に設けられた遊技面構成部品と、この遊技面構成部品が嵌合自在で、かつ、嵌合状態において上記表面と盤面とを一体として遊技面を構成するための孔を有する遊技盤と、を用意することにより、同一機種でありながら遊技面構成部品を自在に交換でき、ホール及び遊技機メーカ双方の利便性を向上させることができ、かつ、リサイクルが容易になるという効果がある。
【００１８】
また、表面に設けられているチャッカの種類が互いに異なる、複数の遊技面構成部品を用意し、それら複数の遊技面構成部品を択一的に孔に嵌合することにより、通常営業用、開店営業用、イベント用等、ホールの営業形態に合わせて遊技面構成部品を交換できるという効果がある。
【図面の簡単な説明】
【図１】本発明の実施形態による遊技機の主要部分の概略構成図であり、（ａ）は遊技面構成部品の構成例を示す概略図、（ｂ）は遊技盤の構成例を示す概略図、（ｃ）は遊技面構成部品の他の構成例を示す概略図である。
【図２】図１（ａ）及び図１（ｃ）の遊技面構成部品を、図１（ｂ）の遊技盤の孔部に嵌合した状態を示す概略図である。
【図３】図１（ｂ）の遊技盤中の孔に嵌合する遊技面構成部品の他の構成例を示す概略図である。
【符号の説明】
１　遊技盤
３１〜３５　チャッカ
Ｂ１１、Ｂ１２、Ｂ２１〜Ｂ２３　遊技面構成部品
Ｈ１、Ｈ２　孔部
Ｎ　釘
【図１】
2004049642.tif 000003
【図２】
2004049642.tif 000004
【図３】
2004049642.tif 000005